(57)【要約】【課題】閉止杆の進出状態において、閉止杆に側圧が大きく作用するなどあっても、閉止杆を案内する案内軸を錠ケースから抜けにくくする。【解決手段】施解錠装置７５の構造において、扉１３の木口に沿う前板部と扉１３の表裏面２９に平行な第１側板部３１と第２側板部３３とが組み合わされて一体となって扉１３の内方に固定される錠ケース１５と、錠ケース１５に移動自在に収容され前板部に形成された進退開口穴を介して木口から進退するカマデッド４１と、カマデッド４１に設けられカマデッド４１の進退を案内するとともに軸線方向が側板部３１，３３に垂直な方向に配置され軸線方向に沿う方向の両端部６３が側板部３１，３３を貫通してかつ側板外面６５から突出するカマ軸７７と、を設けた。【選択図】  図７
2015194019.tif 000002
【特許請求の範囲】
【請求項１】
扉の木口に沿う前板部と前記扉の表裏面に平行な一対の側板部が組み合わされて一体となって前記扉の内方に固定される錠ケースと、
前記錠ケースに移動自在に収容され前記前板部に形成された進退開口穴を介して前記木口から進退する閉止杆と、
前記閉止杆に設けられ該閉止杆の前記進退を案内するとともに、軸線方向が前記側板部に垂直な方向に配置され、軸線方向に沿う方向の両端部が前記側板部を貫通してかつ側板外面から突出する案内軸と、
を具備することを特徴とする施解錠装置の構造。
【請求項２】
請求項１記載の施解錠装置の構造であって、
前記案内軸の両端部には、前記側板部に穿設される軸貫通穴よりも大径の大径部が形成されていることを特徴とする施解錠装置の構造。
【請求項３】
請求項１記載の施解錠装置の構造であって、
前記案内軸の両端部には、前記側板部に穿設される軸貫通穴の穴縁部が係合する括れ部が形成されることを特徴とする施解錠装置の構造。
【請求項４】
請求項１，２，３のいずれか１つに記載の施解錠装置の構造であって、
前記側板部には、ケース外側からケース内側に向け凹ませて形成した凹部が形成され、
前記案内軸の両端部が、前記凹部の凹部底面と、前記錠ケースの前記側板部に垂直な厚み方向のケース最外表面との間に配置されることを特徴とする施解錠装置の構造。
【発明の詳細な説明】
【技術分野】
【０００１】
本発明は、施解錠装置の構造に関する。
【背景技術】
【０００２】
施解錠装置は、デッドボルトやカマデッドの閉止杆を、錠ケースのケース内側に備える（例えば特許文献１参照）。錠ケースは、扉の木口に前板部と後板部が平行となり、扉の表裏面に平行な一対の側板部が組み合わされて、一体となって扉の内方に固定される。閉止杆は、錠ケースに移動自在に収容され、前板部に形成された進退開口穴を介して木口から進退する。この閉止杆の進退は、閉止杆に設けられている案内軸と、この案内軸と係合する錠ケースに設けられている軸貫通穴や軸案内長穴とによって案内される。例えば木口から直進したデッドボルトは、ストライク板を貫通してトロヨケに進入して係止する。また、カマデッドは、進退開口穴から円弧を描いて突出して、ストライク板の背面に係止する。これにより、扉は、閉止杆を介して扉枠側に係止された施錠状態となる。
【先行技術文献】
【特許文献】
【０００３】
【特許文献１】特開２００６−２０７１８９号公報
【発明の概要】
【発明が解決しようとする課題】
【０００４】
しかしながら、デッドボルトやカマデッド等の閉止杆は、閉止杆の進出状態において、閉止杆に、扉表裏面に略垂直な方向の力である側板部に垂直な力、所謂側圧が作用する場合がある。この側圧が大きく作用すると、扉の表裏面と平行であった閉止杆は、表裏面に対して傾斜する。案内軸は、閉止杆に対して、側板部に垂直な方向で設けられている。従って、閉止杆が傾斜すれば、案内軸は、側板部に垂直な仮想線に対して傾斜する。つまりこじられることとなる。案内軸は、通常の状態から傾斜すると、両端部が側板部の軸貫通穴からケース内側へ引っ込む方向に変位する。また、錠ケースは、案内軸のこじりによって、一対の側板が離反方向に変位する。このような場合、案内軸の両端部が、軸貫通穴から錠ケース内方に落ち込むようになり、離脱しやすくなる虞がある。
【０００５】
本発明は上記状況に鑑みてなされたもので、その目的は、閉止杆の進出状態において、閉止杆に、側板部に垂直な方向の力、所謂側圧が作用しても、閉止杆を案内する案内軸を錠ケースから抜けにくくすることができる施解錠装置の構造を提供することにある。
【課題を解決するための手段】
【０００６】
次に、上記の課題を解決するための手段を、実施の形態に対応する図面を参照して説明する。
本発明の請求項１記載の施解錠装置７５の構造は、扉１３の木口２５に沿う前板部と前記扉１３の表裏面２９に平行な一対の側板部３１，３３が組み合わされて一体となって前記扉１３の内方に固定される錠ケース１５と、
前記錠ケース１５に移動自在に収容され前記前板部に形成された進退開口穴２３を介して前記木口２５から進退する閉止杆４１（１７）と、
前記閉止杆４１（１７）に設けられ該閉止杆４１（１７）の前記進退を案内するとともに、軸線方向が前記側板部３１，３３に垂直な方向に配置され、該軸線方向に沿う方向の両端部６３が前記側板部３１，３３を貫通してかつ側板外面６５から突出する案内軸５１，７７（８７）と、
を具備することを特徴とする。
【０００７】
この施解錠装置７５の構造では、案内軸、例えばカマデッド４１用のカマ軸５１，７７の両端部６３が、一対の側板部３１，３３の側板外面６５から突出される。閉止杆（カマデッド４１）の進出状態において、閉止杆４１に、側板部３１，３３に垂直な力が大きく作用すると、扉１３の表裏面２９と平行であった閉止杆４１は側圧を受け、扉１３の表裏面２９に対して傾斜する。案内軸５１，７７は、閉止杆４１に対して、側板部３１，３３に垂直な方向で設けられている。従って、閉止杆４１が傾斜すれば、案内軸５１，７７は、側板部３１，３３に垂直な仮想線に対して傾斜する。すなわちこじられる状態となる。案内軸５１，７７は、傾斜すると、両端部６３が側板部３１，３３の軸貫通穴６７からケース内側へ引っ込む方向に移動しようとする。また、錠ケース１５は、案内軸５１，７７のこじりによって、一対の側板部３１，３３が離反方向に変位する。このような場合においても、案内軸５１，６３の両端部６３が、予め、側板外面６５から突出する余長を備えているので、両端部６３が引っ込む方向の変位や移動、一対の側板部３１，３３が離反する方向の変位が生じても、案内軸５１，６３は、軸貫通穴６７から離脱しにくくなる。
【０００８】
本発明の請求項２記載の施解錠装置８１の構造は、請求項１記載の施解錠装置７５の構造であって、
前記案内軸８３の両端部６３には、前記側板部３１，３３に穿設される軸貫通穴６７よりも大径の大径部７９が形成されていることを特徴とする。
【０００９】
この施解錠装置８１の構造では、閉止杆（８５，１７）の進出状態において、閉止杆（８５，１７）に、側板部３１，３３に垂直な力が大きく作用すると、扉１３の表裏面２９と平行であった閉止杆（８５，１７）は側圧を受け、表裏面２９に対して傾斜する。案内軸（カマ軸８３）は、閉止杆（８５，１７）に対して、側板部３１，３３に垂直な方向で設けられている。従って、閉止杆（８５，１７）が傾斜すれば、案内軸（８３）は、側板部３１，３３に垂直な仮想線に対して傾斜する。すなわち、こじられる状態となる。案内軸（８３）は、傾斜すると、両端部６３が側板部３１，３３）の軸貫通穴６７からケース内側へ引っ込む方向に移動しようとする。また、錠ケース１５は、案内軸（８３）のこじりによって、一対の側板部３１，３３が離反方向に変位する。この際、案内軸（８３）は、こじられて軸貫通穴６７から錠ケース１５内側方向に抜けようとするが、大径部７９が軸貫通穴６７の穴縁部６９に係止し、ケース内側への離脱が規制される。また、案内軸（８３）の両端部６３に設けられた大径部７９が、一対の側板部３１，３３の軸貫通穴６７の穴縁部６９にケース外側から係止することで、一対の側板部３１，３３は、互いの間隔が拡がる、所謂開きが規制される。
【００１０】
本発明の請求項３記載の施解錠装置１１の構造は、請求項１記載の施解錠装置１１の構造であって、
前記案内軸５１の両端部６３には、前記側板部３１，３３に穿設される軸貫通穴６７の穴縁部６９が係合する括れ部７１が形成されることを特徴とする。
【００１１】
この施解錠装置１１の構造では、閉止杆、例えばカマデッド４１の進出状態において、閉止杆４１に、側板部３１，３３に垂直な力が作用すると、扉１３の表裏面２９と平行であった閉止杆４１は、扉１３の表裏面２９に対して傾斜する。案内軸であるカマ軸５１は、閉止杆４１に対して、側板部３１，３３に垂直な方向で設けられている。従って、閉止杆４１が傾斜すれば、案内軸５１は、側板部３１，３３に垂直な仮想線に対して傾斜する。すなわち、こじられる状態となる。案内軸５１は、傾斜すると、両端部６３が側板部３１．３３の軸貫通穴６７からケース内側へ引っ込む方向に移動しようとする。また、錠ケース１５は、案内軸５１のこじりによって、一対の側板部３１，３３が離反方向に変位する。この際、案内軸５１は、こじられて軸貫通穴６７からケース内側に抜けようとするが、括れ部７１が軸貫通穴６７の穴縁部６９に係止し、ケース内側への離脱が規制される。また、案内軸５１の両端部６３に設けられた括れ部７１が、一対の側板部３１，３３の軸貫通穴６７の穴縁部６９に係止することで、一対の側板部３１，３３は、互いの間隔が拡がる、所謂開きが規制される。
【００１２】
本発明の請求項４記載の施解錠装置１１の構造は、請求項１，２，３のいずれか１つに記載の施解錠装置の構造であって、
前記側板部３１, ３３には、ケース外側からケース内側に向け凹ませて形成した凹部５５が形成され、
前記案内軸５１，７７，８３の両端部６３が、前記凹部５５の凹部底面と、前記錠ケース１５の前記側板部３１，３３に垂直な厚み方向のケース最外表面７３との間に配置されることを特徴とする。
【００１３】
この施解錠装置１１の構造では、一対の側板部３１，３３に穿設された軸貫通穴６７から、案内軸５１，７７，８３の両端部６３がケース外側へ突出される。軸貫通穴６７は、側板部３１，３３をケース外側からケース内側に向け凹ませて形成した凹部５５に形成される。つまり、案内軸５１，７７，８３の両端部６３は、凹部底面から突出する。また、案内軸５１，７７，８３の両端部６３は、ケース最外表面７３よりもケース内側に配置される。その結果、案内軸５１，７７，８３は、両端部６３が側板外面６５から突出しつつ、ケース最外表面７３からは突出しないように、すなわち錠ケース１５の厚み（幅長）以内に配置される。
【発明の効果】
【００１４】
本発明に係る請求項１記載の施解錠装置の構造によれば、閉止杆の進出状態において、閉止杆に、側板部に垂直な力が作用しても、閉止杆を案内する案内軸を錠ケースから抜けにくくすることができる。
【００１５】
本発明に係る請求項２記載の施解錠装置の構造によれば、案内軸がケース内側に引っ込む方向に抜けようとした際、大径部を軸貫通穴の穴縁部に引っ掛けて、案内軸の軸貫通穴からの抜けを規制できる。また、錠ケースの一対の側板部の開きを規制できる。
【００１６】
本発明に係る請求項３記載の施解錠装置の構造によれば、案内軸がケース内側に引っ込む方向に抜けようとした際、括れ部に軸貫通穴の穴縁部が落ち込み、案内軸の軸貫通穴からの抜けを規制できる。また、錠ケースの一対の側板部の開きを規制できる。
【００１７】
本発明に係る請求項４記載の施解錠装置の構造によれば、錠ケースの厚み内に、案内軸の両端を収めることができる。
【図面の簡単な説明】
【００１８】
【図１】本発明の第１実施形態に係る施解錠装置の構造を備えた施解錠装置の側面図である。
【図２】図１に示した施解錠装置の分解斜視図である。
【図３】図１のＡ−Ａ線平断面図である。
【図４】側圧が加わっていない状態の施解錠装置の要部平断面図である。
【図５】側圧が加わった状態の施解錠装置の要部平断面図である。
【図６】案内軸が長い第２実施形態に係る施解錠装置の構造の要部平断面図である。
【図７】図６に示した施解錠装置の側圧が加わった状態の要部平断面図である。
【図８】案内軸の両端部に大径部が形成された第３実施形態に係る施解錠装置の構造の要部平断面図である。
【図９】案内軸が適用された変形例に係るデッドボルトの斜視図である。
【発明を実施するための形態】
【００１９】
以下、本発明に係る実施形態を図面を参照して説明する。
（第１実施形態）
図１は本発明の第１実施形態に係る施解錠装置の構造を備えた施解錠装置１１の側面図、図２は図１に示した施解錠装置１１の分解斜視図、図３は図１のＡ−Ａ線平断面図である。
本実施形態に係る施解錠装置の構造は、扉１３に固定される施解錠装置１１に用いて好適となる。施解錠装置１１の構造は、錠ケース１５と、閉止杆と、案内軸と、を有する。なお、本実施形態では、閉止杆はデッドボルト１７とカマデッド４１とで組み合わされて構成され、これらデッドボルト１７とカマデッド４１とが連動して進退し、カマデッド４１の回転中心軸となるカマ軸５１を案内軸として説明する。
【００２０】
施解錠装置１１は、錠ケース１５内に、閉止杆を構成するデッドボルト１７が略水平に摺動自在に内設される。デッドボルト１７は、フロント裏板１９およびフロント板２１の進退開口穴２３を介して、木口２５から進退する。
【００２１】
錠ケース１５は、扉１３の木口２５に沿う前板部を構成するフロント裏板１９と、後板部２７が平行となり、扉１３の表裏面２９に一対の側板部である第１側板部３１と第２側板部３３とが平行となって構成され、扉１３の内方に固定される。第１側板部３１は、ケース身３５の側板部となる。第２側板部３３は、ケース蓋３７の側板部となる。ケース身３５は、扉１３の表裏面２９と平行な片側面が開放した箱状となり、ケース蓋３７は、ケース身３５の開放した片側面を塞ぐ蓋となる。
【００２２】
ケース身３５とケース蓋３７は、第１側板部３１と第２側板部３３の双方に折り曲げ形成された固定片３９を、フロント裏板１９にビス（図示略）によって共締めすることで、フロント裏板１９と一体に固定される。これにより、錠ケース１５が組み立てられることになる。
【００２３】
錠ケース１５は、組み立て時、ケース身３５側に、デッドボルト１７，カマデッド４１、その他ギアやバネ等の錠機構部材が予め組み入れられる。錠ケース１５は、ケース身３５に、デッドボルト１７等が組み入れられた後、ケース蓋３７が蓋固定ビス４３によって固定され、一体に組み立てられる。図示の例では、デッドボルト１７およびカマデッド４１などの作動する部材と、ケース蓋３７との間には、樹脂製の消音ガイド板４５が挟み入れられる。消音ガイド板４５には、デッドボルト１７の進退をガイドする長穴４７が形成される。
【００２４】
デッドボルト１７は、スライド軸４９を、消音ガイド板４５に形成された長穴４７に係合させて摺動自在に支持される。デッドボルト１７は、進退方向に直交する断面形状が、開口を下向きとする略コ字形状に形成される。デッドボルト１７内にはカマデッド４１が設けられ、カマデッド４１は錠ケース１５に支持される案内軸であるカマ軸５１にて回動自在となる。
【００２５】
カマデッド４１には曲溝５３が形成され、曲溝５３はデッドボルト１７に固定された上記のスライド軸４９に係合する。これにより、カマデッド４１は、デッドボルト１７の進出に従動し、進退開口穴２３から円弧を描いて突出して、不図示のストライク板の背面に係止する。
【００２６】
一体に組み立てられた錠ケース１５は、フロント裏板１９が扉１３の木口２５にケース固定ビス（図示略）によって固定される。ケース固定ビスによって木口２５に固定されたフロント裏板１９は、フロント裏板１９の表面側に重ねられて、木口２５に固定されるフロント板２１によって覆われる。
【００２７】
従って、施解錠装置１１の構造では、閉止杆であるデッドボルト１７およびカマデッド４１が、錠ケース１５に移動自在に収容され、フロント裏板１９，フロント板２１に形成された進退開口穴２３を介して木口２５から進退する。
【００２８】
第１側板部３１および第２側板部３３のそれぞれには、凹部である溝状凹部５５が形成される。溝状凹部５５は、側板部３１，３３をフロント裏板１９から後板部２７に渡ってケース外側からケース内側に向け凹ませて形成される。
【００２９】
錠ケース１５には、操作部材が固定される。操作部材は、シリンダ錠（図示略）、サムターン（図示略）である。第１側板部３１には例えばシリンダ錠が固定され、第２側板部３３には例えばサムターンが固定される。
【００３０】
第１側板部３１および第２側板部３３の溝状凹部５５には、溝状凹部５５の溝底をさらに凹ませた円形状の後端部座面５７が形成される。後端部座面５７には、同心円状に錠機構連結穴５９が穿設される。シリンダ錠とサムターンは、後端部が後端部座面５７に当てられて配置される。後端部座面５７に配置されたシリンダ錠，サムターンは、錠機構連結穴５９に配置される錠機構連結部材が連動連結される。錠機構連結部材は、例えば、錠ケース１５内に内蔵される錠機構部を構成するダルマ穴６１（図１参照）である。
【００３１】
案内軸であるカマ軸５１は、カマデッド４１を回転自在に支持して、カマデッド４１の進退を案内する。カマ軸５１は、軸線方向が側板部３１，３３に垂直な方向となる略水平方向に配置され、軸線方向に沿う方向の両端部６３が、第１側板部３１、第２側板部３３を貫通してかつ側板外面６５から突出する。
【００３２】
本実施形態に係る施解錠装置１１の構造においては、カマ軸５１の両端部６３に、側板部３１，３３に穿設される軸貫通穴６７の穴縁部６９が係合する括れ部７１が形成される。この括れ部７１は、例えば側板部３１，３３の厚さと同等の軸線長さに設定される。
【００３３】
カマ軸５１の両端部６３は、溝状凹部５５の凹部底面と、錠ケース１５の側板部２１，３３に垂直な厚み方向のケース最外表面７３との間、すなわち溝状凹部５５の深さ寸法内に配置される。
【００３４】
次に、上記の構成を有する施解錠装置１１の構造の作用を説明する。
図４は側圧が加わっていない状態の施解錠装置１１の要部平断面図、図５は側圧が加わった状態の施解錠装置１１の要部平断面図である。
本実施形態に係る施解錠装置１１の構造では、カマ軸５１の両端部６３が、第１側板部３１と第２側板部３３の両側板外面６５から突出される。閉止杆であるデッドボルト１７とカマデッド４１の進出状態において、カマデッド４１に、第１側板部３１，第２側板部３３に垂直な力が大きく作用すると、扉１３の表裏面２９と平行であったカマデッド４１は、扉１３の表裏面２９に対して傾斜する。
【００３５】
カマ軸５１は、カマデッド４１に対して、側板部３１，３３に垂直な方向で設けられている。従って、カマデッド４１が傾斜すれば、カマ軸５１は、側板部３１，３３に垂直な仮想線ＣＬ（図３参照）に対して傾斜する。すなわち、こじられる状態となる。カマ軸５１は、傾斜すると、両端部６３が第１側板部３１、第２側板部３３の軸貫通穴６７からケース内側へ引っ込む方向に移動するようになる。また、錠ケース１５は、カマ軸５１のこじりによって、一対の側板部３１，３３が間隔を広げるように離反方向に変位する。
【００３６】
この際、カマ軸５１は、こじられて軸貫通穴６７から錠ケース１５内に抜けようとするが、図５に示すように、括れ部７１が軸貫通穴６７の穴縁部６９に係止し、ケース内側への離脱が規制される。また、カマ軸５１の両端部６３に設けられた括れ部７１が、一対の第１側板部３１、第２側板部３３の穴縁部６９に係止することで、第１側板部３１，第２側板部３３は、開きが規制される。
【００３７】
また、この施解錠装置１１の構造では、一対の側板部である第１側板部３１と第２側板部３３に穿設された両軸貫通穴６７から、カマ軸５１の両端部６３がケース外側へ突出される。軸貫通穴６７は、第１側板部３１，第２側板部３３をケース外側からケース内側に向け凹ませて形成した溝状凹部５５に形成される。つまり、カマ軸５１の両端部６３は、凹部底面から突出するが、ケース最外表面７３よりもケース内側に配置される。カマ軸５１は、両端部６３が側板外面６５から突出しつつ、ケース最外表面７３からは突出しないように配置される。その結果、錠ケース１５の厚み内に、カマ軸５１の両端を収めることができる。
【００３８】
従って、本実施形態に係る施解錠装置１１の構造では、カマ軸５１の形状を工夫し、側圧負荷がかかり変形し始めると、カマ軸５１がケース身３５、ケース蓋３７に引っ掛かる構造とした。施解錠装置１１は、カマ軸５１の形状が複雑であるが、全体的な構造や組立性が改良前品と変わらないため、大幅なコストアップとはならない。
【００３９】
次に、本発明に係る施解錠装置の構造の他の実施形態を説明する。
（第２実施形態）
図６は案内軸が長い第２実施形態に係る施解錠装置７５の構造の要部平断面図、図７は図６に示した施解錠装置７５の側圧が加わった状態の要部平断面図である。なお、以下の各実施形態において、図１〜図３に示した部材・部位と同一のものには同一の符号を付し重複する説明は省略する。
この施解錠装置７５の構造は、カマ軸７７が、上記の第１実施形態と同様に、カマデッド４１と係合してカマデッド４１の進退を案内する。このカマ軸７７は、軸線方向が側板部３１，３３に垂直な方向に配置され、軸線方向に沿う方向の両端部６３が第１側板部３１と第２側板部３３を貫通してかつ側板外面６５から突出する。カマ軸７７には、上記の括れ部７１が形成されていない。つまり、カマ軸７７の両端部６３は、軸線方向の断面が同一断面形状となっている。
【００４０】
この施解錠装置７５の構造では、カマ軸７７の両端部６３が、第１側板部３１と第２側板部３３の両側板外面６５から突出される。カマデッド４１の進出状態において、カマデッド４１に、側板部３１，３３に垂直な力が作用すると、扉１３の表裏面２９と平行であったカマデッド４１は、図７に示すように、表裏面２９に対して傾斜する。カマ軸７７は、カマデッド４１に対して、側板部３１，３３に垂直な方向で設けられている。従って、カマデッド４１が傾斜すれば、カマ軸７７は、側板部３１，３３に垂直な仮想線に対して傾斜する。すなわち、こじられる状態となる。カマ軸７７は、傾斜すると、両端部６３が第１側板部３１，第２側板部３３の軸貫通穴６７からケース内側へ引っ込む方向に移動しようとする。また、錠ケース１５は、カマ軸７７のこじりによって、一対の側板部３１，３３が離反方向に変位する。このような場合においても、カマ軸７７の両端部６３が、予め、側板外面６５から突出する余長部分を備えているので、両端部６３が引っ込む方向の変位や移動、一対の側板部３１，３３が離反する方向の変位が生じても、カマ軸７７は、軸貫通穴６７から離脱しにくくなる。
【００４１】
（第３実施形態）
図８は案内軸の両端部６３に大径部７９が形成された第３実施形態に係る施解錠装置８１の構造の要部平断面図である。
この施解錠装置８１の構造は、案内軸であるカマ軸８３の両端部６３に、第１側板部３１，第２側板部３３に穿設される軸貫通穴６７よりも大径の大径部７９が形成されている。また、カマ軸８３は、カマデッド８５に例えば削りだし等によって一体に形成されている突起状の軸体よりなる。
【００４２】
この施解錠装置８１の構造では、カマデッド８５の進出状態において、カマデッド８５に、側板部３１，３３に垂直な力が作用すると、扉１３の表裏面２９と平行であったカマデッド８５は、表裏面２９に対して傾斜する。カマ軸８３は、カマデッド８５に対して、側板部３１，３３に垂直な方向で設けられている。従って、カマデッド８５が傾斜すれば、カマ軸８３は、側板部に垂直な仮想線に対して傾斜する。すなわち、こじられる状態となる。カマ軸８３は、傾斜すると、両端部６３が第１側板部３１，第２側板部３３の軸貫通穴６７からケース内側へ引っ込む方向に移動しようとする。また、錠ケース１５は、カマ軸８３のこじりによって、一対の側板部３１，３３が離反方向に変位する。この際、カマ軸８３は、こじられて軸貫通穴６７から錠ケース１５内方に抜けようとするが、大径部７９が軸貫通穴６７の穴縁部６９に係止し、ケース内側への離脱が規制される。また、カマ軸８３の両端部６３に設けられた大径部７９が、第１側板部３１と第２側板部３３の軸貫通穴６７の穴縁部６９にケース外側から係止することで、これら第１側板部３１，第２側板部３３は、開きが規制される。
【００４３】
（変形例）
図９は案内軸が適用された上記各実施形態の変形例に係るデッドボルト１７の斜視図である。
この変形例に係る施解錠装置の構造は、上記のデッドボルト１７に、上記スライド軸４９に替えて上記カマ軸５１と同形状の案内軸であるスライド軸８７が用いられている。つまり、カマデッド４１とデッドボルト１７との双方に案内軸が適用されている。
【００４４】
この実施形態に係る施解錠装置の構造では、デッドボルト１７に適用した案内軸であるスライド軸８７が、上記のカマデッド４１に用いられているカマ軸５１と同様に作用する。すなわち、デッドボルト１７が傾斜すれば、スライド軸８７は、側板部に垂直な仮想線に対して傾斜する。すなわち、こじられる状態となる。スライド軸８７は、傾斜すると、両端部６３が長穴４７からケース内側へ引っ込む方向に変位する。また、錠ケース１５は、スライド軸８７のこじりによって、一対の側板部３１，３３が離反方向に変位する。この際、スライド軸８７は、こじられて長穴４７からケース内側へ抜けようとするが、括れ部７１が長穴４７の穴縁部６９に係止し、ケース内側への離脱が規制される。また、スライド軸８７の両端部６３に設けられた括れ部７１が、長穴４７の穴縁部６９に係止することで、両側板部３１，３３は、開きが規制される。
【００４５】
従って、本発明に係る施解錠装置１１の構造によれば、閉止杆であるデッドボルト１７やカマデッド４１，８５の進出状態において、閉止杆１７，４１，８５に、側板部３１，３３に垂直な力が大きく作用しても、閉止杆１７，４１，８５を案内する案内軸であるカマ軸５１，７７，８３、スライド軸８７を錠ケース１５から抜けにくくすることができる。また案内軸に括れ部７１，大径部７９を形成したことで、両側板部３１，３３の開きが規制される。
【符号の説明】
【００４６】
１１，７５，８１…施解錠装置
１３…扉
１５…錠ケース
１７…閉止杆（デッドボルト）
１９…前板部（フロント裏板）
２３…進退開口穴
２５…木口
２９…表裏面
３１…側板部（第１側板部）
３３…側板部（第２側板部）
４１…閉止杆（カマデッド）
５１，７７…案内軸（カマ軸）
５５…凹部（溝状凹部）
６３…両端部
６５…側板外面
６７…軸貫通穴
６９…穴縁部
７１…括れ部
７３…ケース最外表面
７９…大径部
８３…案内軸（カマ軸）
８７…案内軸（スライド軸）
【図１】
2015194019.tif 000003
【図２】
2015194019.tif 000004
【図３】
2015194019.tif 000005
【図４】
2015194019.tif 000006
【図５】
2015194019.tif 000007
【図６】
2015194019.tif 000008
【図７】
2015194019.tif 000009
【図８】
2015194019.tif 000010
【図９】
2015194019.tif 000011